(57)【要約】  【課題】従来よりも照明効果を向上させることができ、上下任意の段の商品陳列棚に陳列した商品を集中的に照明することができる多段式オープンショーケースを提供する。  【解決手段】ケース本体に設けられた商品陳列部４に上下多段に商品陳列棚３を備えるとともに、前記商品陳列部の上方前部に商品陳列部を照明する蛍光灯１０を配置した多段式オープンショーケースにおいて、前記蛍光灯１０に、該蛍光灯からの照明光を商品陳列部方向に向けて反射させる反射板１２を、反射方向を調節可能な状態で装着する。【選択図】  図１
2009011629.tif 000002
【特許請求の範囲】
【請求項１】
ケース本体に設けられた商品陳列部に上下多段に商品陳列棚を備えるとともに、前記商品陳列部の上方前部に商品陳列部を照明する蛍光灯を配置した多段式オープンショーケースにおいて、前記蛍光灯に、該蛍光灯からの照明光を商品陳列部方向に向けて反射させる反射板を、反射方向を調節可能な状態で装着したことを特徴とする多段式オープンショーケース。
【請求項２】
前記反射板は、前記蛍光灯の上方に配置される反射板本体と、該反射板本体の反射面側から突出して前記蛍光灯の外周面に回動可能に装着されるクリップ部とを有し、前記反射板本体の反射面が鏡面加工されていることを特徴とする請求項１記載の多段式オープンショーケース。
【請求項３】
前記反射板は、操作用把手を備えていることを特徴とする請求項１又は２記載の多段式オープンショーケース。
【請求項４】
前記反射板は、ケース本体幅方向の長さが、前記商品陳列棚の棚割に対応した長さに形成されていることを特徴とする請求項１乃至３のいずれか１項に記載の多段式オープンショーケース。
【発明の詳細な説明】
【技術分野】
【０００１】
本発明は、多段式オープンショーケースに関し、詳しくは、商品陳列部内に上下多段に設けられた商品陳列棚を照明するための照明手段を商品陳列部の上方前部に設けた多段式オープンショーケースに関する。
【背景技術】
【０００２】
スーパーマーケットやコンビニエンスストア等の食品売場に設置されている多段式オープンショーケースにおいて、商品陳列部に上下多段に設けた商品陳列棚に陳列した商品を照明するための照明手段として、商品陳列部の上方前部に蛍光灯を設けたものが知られている。このような多段式オープンショーケースでは、蛍光灯の上方に固定式の反射板を設け、蛍光灯からの光を商品陳列部に向けて反射させることにより、蛍光灯による照明効果を向上させるようにしている（例えば、特許文献１参照。）。
【特許文献１】特開２００２−１０８８８号公報
【発明の開示】
【発明が解決しようとする課題】
【０００３】
従来の照明手段においても、反射板の形状や配置を工夫することによってある程度の照明効果を向上させることはできるが、反射面が白色塗装のものでは反射光量が十分ではなく、中段部分が暗くなってしまったりするという問題があった。また、オプションとして、ケース本体天井上に外付けする反射板が用意されているが、この外付けの反射板は設置位置が高いため、反射板の角度を変える際には踏み台を用意する必要があり、実用性に問題があった。
【０００４】
そこで本発明は、従来よりも照明効果を向上させることができ、上下任意の段の商品陳列棚に陳列した商品を集中的に照明することができる多段式オープンショーケースを提供することを目的とする。
【課題を解決するための手段】
【０００５】
上記の課題を解決するため本発明は、ケース本体に設けられた商品陳列部に上下多段に商品陳列棚を備えるとともに、前記商品陳列部の上方前部に商品陳列部を照明する蛍光灯を配置した多段式オープンショーケースにおいて、前記蛍光灯に、該蛍光灯からの照明光を商品陳列部方向に向けて反射させる反射板を、反射方向を調節可能な状態で装着したことを特徴としている。
【０００６】
前記反射板は、前記蛍光灯の上方に配置される反射板本体と、該反射板本体の反射面側から突出して前記蛍光灯の外周面に回動可能に装着されるクリップ部とを有し、前記反射板本体の反射面が鏡面加工されていることが好ましい。
【０００７】
さらに、前記反射板は、操作用把手を備えていることが好ましく、前記反射板は、ケース本体幅方向の長さが、前記商品陳列棚の棚割に対応した長さに形成されていることが好ましい。
【発明の効果】
【０００８】
本発明の多段式オープンショーケースによれば、蛍光灯に反射板を装着しているので、反射方向の調節を行う際に踏み台を用意する必要がなく、反射板の角度調整を容易に行うことができ、任意の商品陳列棚に照明を集中させることが可能となる。また、反射板に把手を設けることにより、反射面に手を触れずに反射板の角度調整を行えるので、反射面が汚れて反射光量が低下することがなくなる。さらに、反射板の長さを商品陳列棚の棚割に対応させることにより、各陳列棚毎に反射状態を調節することが可能となる。
【発明を実施するための最良の形態】
【０００９】
以下、本発明の一実施の形態について、図面に基づき説明する。
図１は本発明の多段式オープンショーケースの要部を示す断面図、図２は多段式オープンショーケースの要部を示す正面図、図３は反射板の側面図、図４は多段式オープンショーケースの断面図、図５は多段式オープンショーケースの正面図である。
【００１０】
まず、本発明の多段式オープンショーケース１は、前面に開口部を有するショーケース本体２の内部に上下多段の商品陳列棚３を設けた商品陳列部４が形成されるとともに、ショーケース本体２の背面に背面ダクト５が形成され、該背面ダクト５の下方部分に冷却器及び送風機（いずれも図示せず）が配置されている。オープンショーケース１の開口上方には、背面ダクト５からの冷気を開口前面に下方に向けて吹き出すための冷気吹出口６が設けられ、開口下方には冷気吹出口６から吹き出された冷気を吸い込むための冷気吸込口７が設けられている。
【００１１】
また、商品陳列部４の上方前部に位置するショーケース本体２の天井部前端下部（キャノピー部）８には、ショーケース本体２の幅方向略全長にわたって照明装着部９が設けられており、この照明装着部９に、商品陳列部４に陳列した商品を照明するための複数本の蛍光灯１０が配置されている。各蛍光灯１０の両端は、照明装着部９の両端及び中間位置にそれぞれ設けられたランプソケット１１に着脱可能に嵌め込まれている。
【００１２】
照明装着部９の上面板下面と蛍光灯１０の上方との間には、反射板１２を装着するための空間が設けられており、この空間内に蛍光灯１０に装着された反射板１２が配置されている。反射板１２は、金属板、例えばアルミ板を鏡面加工した反射面１３ａを有する反射板本体１３と、前記反射面１３ａ側から突出したクリップ部１４及び操作用把手１５とを有している。反射板本体１３は、反射面１３ａで反射した反射光を特定位置に集光できるように、断面を放物線形状としている。
【００１３】
クリップ部１４は、一体成形された樹脂製のもので、反射面１３ａの頂点部分に基端１４ｃが嵌め込み等の手段で固定された軸部１４ａと、この軸部１４ａの先端に設けられた弾性を有する抱持部１４ｂとを備えており、抱持部１４ｂは、蛍光灯１０の外周面に対応した円弧形状に形成されている。クリップ部１４の突出量は、蛍光灯１０に抱持部１４ｂを取り付けたときに、蛍光灯１０が前記反射面１３ａの焦点に位置するように設定されている。また、このクリップ部１４は、図示しない弾性を有する金属製薄板から形成することができ、この場合には、反射面１３ａの頂点部分に基端が固定された一対のバネ部（上記樹脂製の軸部１４ａに相当）と、各バネ部の先端に設けられた抱持部（上記樹脂製の抱持部１４ｂに相当）とを有し、この抱持部は、樹脂製のものと同様に蛍光灯１０の外周面に対応した円弧形状に形成される。
【００１４】
操作用把手１５は、丸棒や角棒をコ字状に形成した部材の両端を反射面１３ａの一側に固定したものであって、反射板１２を装着した蛍光灯１０を照明装着部９に取り付けた際に操作用把手１５がショーケース前面側に位置するように設けられている。
【００１５】
また、反射板１２のケース本体幅方向の長さは、商品陳列部４を左右に区画する仕切板の位置に合わせた長さとし、商品陳列棚３の棚割に対応した長さに形成されている。通常、前記クリップ部１４は、反射板１２の両端部近傍の２箇所に設けられ、操作用把手１５は、クリップ部１４の近傍で両手で操作可能な間隔で２箇所に設けられている。
【００１６】
前記反射板１２は、クリップ部１４の両抱持部１４ｂ，１４ｂの間隔を広げるようにして蛍光灯１０の外周を抱持部１４ｂ，１４ｂで挟み込み蛍光灯１０に取り付けられる。このように、抱持部１４ｂがその弾性で蛍光灯１０を挟み込んだ状態で反射板１２を蛍光灯１０に装着することにより、反射板１２は、蛍光灯１０を中心として照明装着部９内の上部で前後方向に回動可能な状態となる。
【００１７】
反射板１２を装着した蛍光灯１０は、反射板１２を上方に位置させて照明装着部９内に取り付けられる。反射板１２の大きさや曲率は、蛍光灯１０の規格や照明装着部９の形状、大きさによっても異なるが、反射板１２の頂点を上方に向けたときに、反射板１２の両縁部が蛍光灯１０よりも十分に下方に位置し、蛍光灯１０から全周方向に放射された照明光の１／２以上、特に２／３以上を反射板１２で反射できるように設定することが好ましい。
【００１８】
また、反射板１２の蛍光灯１０を中心とした回動角度範囲は、反射板１２からの反射光が最上段の商品陳列棚３を照明する状態から、反射光が商品陳列部４の下面を照明する状態までの範囲、通常は３０度程度としておくことが好ましい。このような範囲に反射板１２を回動可能に形成することにより、購入者に注目させたい商品、キャンペーン商品等を明るく照らすことができ、これらの商品の陳列高さが変わっても、反射板１２を適宜回動させることで対応することができる。
【００１９】
また、操作用把手１５を設けることにより、反射板１２を回動させる際に反射面に手を触れることがなくなり、反射面が汚れて反射率が低下することを防止できる。さらに、反射板１２をショーケース本体２の照明装着部９内に納めているので、床面からの高さを１８００ｍｍ程度にすることができ、天井上に外付けした従来の反射板に比べて反射板１２の回動操作を容易に行うことができ、踏み台を用意する必要もなくなる。
【００２０】
加えて、反射板１２を商品陳列棚３の棚割に対応した長さに形成することにより、一つの多段式オープンショーケース１で、左右の商品陳列部４で上下に異なる位置を集中的に照明することができる。
【図面の簡単な説明】
【００２１】
【図１】本発明の多段式オープンショーケースの要部を示す断面図である。
【図２】多段式オープンショーケースの要部を示す正面図である。
【図３】反射板の側面図である。
【図４】多段式オープンショーケースの断面図である。
【図５】多段式オープンショーケースの正面図である。
【符号の説明】
【００２２】
１  多段式オープンショーケース
２  ショーケース本体
３  商品陳列棚
４  商品陳列部
５  背面ダクト
６  冷気吹出口
７  冷気吸込口
８  キャノピー部
９  照明装着部
１０  蛍光灯
１１  ランプソケット
１２  反射板
１３  反射板本体
１３ａ  反射面
１４  クリップ部
１４ａ  軸部
１４ｂ  抱持部
１４ｃ  基端
１５  操作用把手
【図１】
2009011629.tif 000003
【図２】
2009011629.tif 000004
【図３】
2009011629.tif 000005
【図４】
2009011629.tif 000006
【図５】
2009011629.tif 000007